(57)【要約】【課題】使用する合紙の種類の相違に起因したトラブルの発生を極力回避することができ、更には使用する印刷版及び合紙の種類に応じて最適な装置条件で露光処理を行うことを可能とする印刷版用梱包材を得る。【解決手段】梱包箱１０の側面には、バーコード２２が付されている。このバーコード２２には、ＰＳ版１２及び合紙１４の外形情報と物性情報とが記録されている。従って、露光処理を行う際にバーコードリーダでバーコード２２に記録された情報を読み取ることにより、ＰＳ版１２及び合紙１４の種類の相違に起因したトラブルの発生を未然に防止することができ、ひいては最適な装置条件で露光処理を行うことができる。【選択図】　　図１
2004123188.tif 000002
【特許請求の範囲】
【請求項１】
支持体上に記録層が設けられた未使用の印刷版の梱包に供される印刷版用梱包材であって、
前記印刷版の記録層の表面に当該記録層保護のために重ね合わされた合紙の外形情報及び物性情報の少なくとも一方をコード化して前記梱包材の表面に表示し、或いは、前記外形情報及び物性情報の少なくとも一方をコード化して情報記録媒体に記録すると共に当該情報記録媒体を前記梱包材の表面に添付した、
ことを特徴とする印刷版用梱包材。
【請求項２】
支持体上に記録層が設けられた未使用の印刷版の梱包に供される印刷版用梱包材であって、
梱包される前記印刷版並びに当該印刷版の記録層の表面に当該記録層保護のために重ね合わされた合紙の外形情報及び物性情報の少なくとも一方をコード化して前記梱包材の表面に表示し、或いは、前記外形情報及び物性情報の少なくとも一方をコード化して情報記録媒体に記録すると共に当該情報記録媒体を前記梱包材の表面に添付した、
ことを特徴とする印刷版用梱包材。
【発明の詳細な説明】
【０００１】
【発明の属する技術分野】
本発明は、支持体上に記録層が設けられた未使用の印刷版の梱包に供される印刷版用梱包材に関する。
【０００２】
【従来の技術】
印刷版（例えば、サーマル版、フォトポリマー版等のＰＳ版等）と当該印刷版の記録層を保護するための合紙とを交互に重ね合わせた状態で梱包箱に詰め込み、当該梱包箱の表面に、梱包された印刷版の情報が記録されたバーコードラベルを貼付した構成が既に案出されている（特許文献１参照）。
【０００３】
この特許文献１に開示された技術によれば、バーコードリーダを使って梱包箱に貼付されたバーコードを読み取り、読み取った印刷版の情報に基づいて、印刷版自動露光装置の露光条件や搬送条件等の諸条件を最適値に変更することにより、印刷版の種類が相違しても、その相違に起因する露光不良や装置のトラブルの発生をなくすことが可能である。
【０００４】
【特許文献１】
特開２００１−１１４２３１公報（図１）
【０００５】
【発明が解決しようとする課題】
しかしながら、上記従来技術による場合、印刷版に重ね合わされる合紙に関する情報までは梱包箱の表面に表示されていないため、合紙の種類の相違に起因して、合紙搬送のトラブルや印刷版と合紙との判別トラブル等のトラブルの発生頻度が多くなるという問題があった。
【０００６】
本発明は上記事実を考慮し、使用する合紙の種類の相違に起因したトラブルの発生を極力回避することができ、更には使用する印刷版及び合紙の種類に応じて最適な装置条件で露光処理を行うことを可能とする印刷版用梱包材を得ることが目的である。
【０００７】
【課題を解決するための手段】
請求項１記載の本発明に係る印刷版用梱包材は、支持体上に記録層が設けられた未使用の印刷版の梱包に供される印刷版用梱包材であって、前記印刷版の記録層の表面に当該記録層保護のために重ね合わされた合紙の外形情報及び物性情報の少なくとも一方をコード化して前記梱包材の表面に表示し、或いは、前記外形情報及び物性情報の少なくとも一方をコード化して情報記録媒体に記録すると共に当該情報記録媒体を前記梱包材の表面に添付した、ことを特徴としている。
【０００８】
請求項２記載の本発明に係る印刷版用梱包材は、支持体上に記録層が設けられた未使用の印刷版の梱包に供される印刷版用梱包材であって、梱包される前記印刷版並びに当該印刷版の記録層の表面に当該記録層保護のために重ね合わされた合紙の外形情報及び物性情報の少なくとも一方をコード化して前記梱包材の表面に表示し、或いは、前記外形情報及び物性情報の少なくとも一方をコード化して情報記録媒体に記録すると共に当該情報記録媒体を前記梱包材の表面に添付した、ことを特徴としている。
【０００９】
請求項１記載の本発明によれば、印刷版と合紙とが交互に重ね合わされて印刷版用梱包材内に詰め込まれ、梱包されて出荷される。
【００１０】
ここで、本発明では、印刷版の記録層の表面に重ね合わされる合紙に着目し、当該合紙の外形情報及び物性情報の少なくとも一方をコード化して上記の印刷版用梱包材の表面に表示し、或いは、外形情報及び物性情報の少なくとも一方をコード化して情報記録媒体に記録し、当該情報記録媒体を上記の印刷版用梱包材の表面に添付することとしたので、出荷先の工場等では、印刷版用梱包材のコード化された表示或いは情報記録媒体を、印刷版の処理装置に設けた情報読取装置を用いて読み取らせるだけで、処理に必要な合紙に関する情報の一部又は全部を入力することができる。そして、読み取った合紙に関する情報に基づいて印刷版の処理装置の諸条件を変更すれば、印刷版の種類の相違に伴って合紙の種類が相違しても、当該相違に起因したトラブルの発生を大幅に減らすことができる。
【００１１】
請求項２記載の本発明によれば、梱包される印刷版並びに当該印刷版の記録層の表面に当該記録層保護のために重ね合わされた合紙の外形情報及び物性情報の少なくとも一方をコード化して印刷版用梱包材の表面に表示し、或いは、外形情報及び物性情報の少なくとも一方をコード化して情報記録媒体に記録すると共に当該情報記録媒体を印刷版用梱包材の表面に添付したので、出荷先の工場等では、印刷版用梱包材のコード化された表示或いは情報記録媒体を、印刷版の処理装置に設けた情報読取装置を用いて読み取らせるだけで、処理に必要な印刷版及び合紙の双方に関する情報の一部又は全部を入力することができる。そして、読み取った印刷版及び合紙に関する情報に基づいて印刷版の処理装置の諸条件を変更すれば、印刷版及び合紙の種類が相違しても、当該相違に起因したトラブルの発生を大幅に減らすことができる。
【００１２】
【発明の実施の形態】
〔第１実施形態〕
以下、図１及び図２を用いて、本発明に係る印刷版用梱包材の第１実施形態について説明する。
【００１３】
図１には、本実施形態に係る梱包箱１０の外観が示されている。また、図２には、当該梱包箱１０の使い方が示されている。これらの図に示されるように、「印刷版用梱包材」としての梱包箱１０は、比較的薄い直方体形状の段ボールによって構成されている。この梱包箱１０内には、「印刷版」としての未使用のＰＳ版１２が所定枚数分だけ積層状態で収容されている。ＰＳ版１２は図示しない支持体上に記録層（感光層）が設けられた構造になっており、感光層保護のために合紙１４と交互に重ね合わされている。
【００１４】
上述した梱包箱１０の上面の右隅には、製品名称が記載されたラベル１６が貼り付けられている。ラベル１６の右下には、バーコード１８が印刷されている。このバーコード１８には、製品名称、感材製造ロット番号、営業再裁断注記といった書誌的事項が記録されている。
【００１５】
また、梱包箱１０の側面には、感材サイズ（縦×横）、厚さといったＰＳ版１２の外形情報２０が印刷されており、更にその横にはバーコード２２が印刷されている。
【００１６】
このバーコード２２には、ＰＳ版１２の外形情報及び物性情報が記録されている。ＰＳ版１２の外形情報とは、製品名称、感材サイズ（縦×横）、厚さ、感材製造ロット番号、営業再裁断注記等の主として種別や外形に関する情報を指す。また、ＰＳ版１２の物性情報とは、必要露光量、分光吸収特性、表面反射率等の主としてＰＳ版１２の露光処理に必要な物理的情報を指す。
【００１７】
また、上記バーコード２２には、合紙１４の外形情報及び物性情報も記録されている。合紙１４の外形情報とは、製品名称、合紙サイズ（縦×横）、厚さ等の主として種別や外形に関する情報を指す。また、合紙１４の物性情報とは、通気性、分光吸収特性、表面反射率等の主としてＰＳ版１２の露光処理との関係において必要な物理的情報を指す。
【００１８】
一方、図２に示されるように、露光装置システム２４には、上述したバーコード１８、２２に記録された情報を読み取るべく、バーコードリーダ２６が設けられている。このバーコードリーダ２６によって読み取られた情報は、露光装置システム２４の制御に利用されるようになっている。なお、露光装置システム２４は、露光装置だけのものでもよいし、露光装置と自動給版装置とが複合されたものでもよい。
【００１９】
次に、本実施形態の作用並びに効果について説明する。
【００２０】
未使用状態のＰＳ版１２は合紙１４と共に所定の枚数だけ梱包箱１０内に積層状態で詰められ、梱包された後に製造工場から出荷される。この出荷段階では、既に、梱包箱１０の上面にバーコード１８が印刷されたラベル１６が貼付されていると共に、梱包箱１０の側面に外形情報２０が印刷されかつその横にバーコード２２が印刷されている。
【００２１】
露光処理等を行う工場では、露光装置システム２４に設けられたバーコードリーダ２６を使って、到着した梱包箱１０に付されているバーコード１８、２２が読み取られる。これにより、バーコード１８からは、製品名称、感材製造ロット番号、営業再裁断注記等の書誌的情報が読み取られる。また、バーコード２２からは、ＰＳ版１２の感材サイズ（縦×横）、厚さ等の外形情報及び必要露光量、分光吸収性特性、表面反射率等等の物性情報が読み取られると共に、合紙１４の製品名称、合紙サイズ（縦×横）、厚さ等の外形情報及び通気性、分光吸収特性、表面反射率等の物性情報が読み取られる。露光装置システム２４では、これらの外形情報及び物性情報に基づいて露光装置システム２４の状態（例えば、露光量等の露光条件、ＰＳ版１２及び合紙１４の判別検出器の検出閾値条件、搬送速度等の搬送条件、ＰＳ版１２及び合紙１４を吸着して取り出すときの吸引圧力条件等、種々の条件）を変更して、露光処理等を行う。
【００２２】
このように本実施形態に係る梱包箱１０では、梱包箱１０の表面にＰＳ版１２及び合紙１４の外形情報及び物性情報をバーコード化して表示したので、より多くの情報をコード化して露光装置システム２４に提供することができる。その結果、使用するＰＳ版１２及び合紙１４の種類の相違に起因したトラブルの発生を極力回避することができ、更には使用するＰＳ版１２及び合紙１４の種類に応じて最適な装置条件で露光処理を行うことができる。
【００２３】
〔第２実施形態〕
次に、図３及び図４を用いて、本発明に係る印刷版用梱包材の第２実施形態について説明する。なお、前述した第１実施形態と同一構成部分については、同一番号を付してその説明を省略する。
【００２４】
図３には、本実施形態に係る梱包箱３０の外観が示されている。また、図４には、当該梱包箱３０の使い方が示されている。これらの図に示されるように、本実施形態では、「印刷版用梱包材」としての梱包箱３０の側面に、バーコード１８、２２の替りを成す「情報記録媒体」としてのメモリカード３２を添付した点に特徴がある。
【００２５】
具体的に説明すると、梱包箱３０の側面には、情報コードメディア収納部分３４が設けられている。この情報コードメディア収納部分３４には、ＰＳ版１２及び合紙１４の外形情報及び物性情報が記録されたメモリカード３２が収納されている。なお、メモリカード３２としては、磁気カードや不揮発性メモリ等を使用することができる。
【００２６】
一方、露光装置システム３６側には、バーコードリーダ２６に替わって情報読取ユニット３８が設けられている。
【００２７】
上記構成によれば、梱包箱３０の側面に添付されたメモリカード３２を取り出して、露光装置システム３６の情報読取ユニット３８に差し込めば、自動的にＰＳ版１２及び合紙１４の外形情報及び物性情報が読み取られ、それに基づいた露光処理等が行われる。従って、本実施形態に係る梱包箱３０によっても、第１実施形態と同様に、使用するＰＳ版１２及び合紙１４の種類の相違に起因したトラブルの発生を極力回避することができ、更には使用するＰＳ版１２及び合紙１４の種類に応じて最適な装置条件で露光処理を行うことができる。
【００２８】
なお、上述した各実施形態では、バーコード２２、メモリカード３２に、合紙１４の情報だけでなく、ＰＳ版１２の情報も記録する構成を採ったが、請求項１記載の発明との関係では、ＰＳ版１２の情報の記録の有無は問わない。
【００２９】
また、上述した各実施形態では、バーコード２２、メモリカード３２に、ＰＳ版１２及び合紙１４のそれぞれにつき、外形情報と物性情報の双方を記録する構成を採ったが、いずれか一方の情報だけを記録するようにしてもよい。
【００３０】
【発明の効果】
以上説明したように請求項１記載の本発明に係る印刷版用梱包材は、印刷版の記録層の表面に当該記録層保護のために重ね合わされた合紙の外形情報及び物性情報の少なくとも一方をコード化して梱包材の表面に表示し、或いは、外形情報及び物性情報の少なくとも一方をコード化して情報記録媒体に記録すると共に当該情報記録媒体を梱包材の表面に添付したので、使用する合紙の種類の相違に起因したトラブルの発生を極力回避することができるという優れた効果を有する。
【００３１】
請求項２記載の本発明に係る印刷版用梱包材は、梱包される印刷版並びに当該印刷版の記録層の表面に当該記録層保護のために重ね合わされた合紙の外形情報及び物性情報の少なくとも一方をコード化して印刷版用梱包材の表面に表示し、或いは、外形情報及び物性情報の少なくとも一方をコード化して情報記録媒体に記録すると共に当該情報記録媒体を印刷版用梱包材の表面に添付したので、使用する印刷版及び合紙の種類の相違に起因したトラブルの発生を極力回避することができ、更には使用する印刷版及び合紙の種類に応じて最適な装置条件で露光処理を行うことができるという優れた効果を有する。
【図面の簡単な説明】
【図１】第１実施形態に係る梱包箱を示す全体構成図である。
【図２】図１に示される梱包箱の用い方を露光装置システムとの関係で示す説明図である。
【図３】第２実施形態に係る梱包箱を示す全体構成図である。
【図４】図３に示される梱包箱の用い方を露光装置システムとの関係で示す説明図である。
【符号の説明】
１０　　　梱包箱（印刷版用梱包材）
１２　　　ＰＳ版（印刷版）
１４　　　合紙
１８　　　バーコード
２２　　　バーコード
３０　　　梱包箱（印刷版用梱包材）
３２　　　メモリカード（情報記録媒体）
【図１】
2004123188.tif 000003
【図２】
2004123188.tif 000004
【図３】
2004123188.tif 000005
【図４】
2004123188.tif 000006